(57)【特許請求の範囲】
【請求項１】
光ピックアップを搭載したキャリッジと、モータを駆動源として正逆両方向へ回転するスクリューシャフトと、前記キャリッジに片持ち梁状に支持され、その自由端側に前記スクリューシャフトに噛合する方向へ弾性付勢された歯部を有する動力変換部材とを備え、前記スクリューシャフトの回転に伴って前記光ピックアップがディスクの径方向へ移動する光ピックアップの移送機構において、
前記動力変換部材が前記歯部を有する合成樹脂製の歯付き板と該歯部を前記スクリューシャフトに圧接する方向へ弾性付勢する板ばねとで構成され、前記歯付き板には前記ディスクの内周側を固定端として前記スクリューシャフトの軸線方向へ延びる弾性腕を設けると共に、この弾性腕の自由端側に前記歯部を設け、前記板ばねには前記歯付き板の弾性腕に沿って延びる押圧片を形成し、かつ、前記歯付き板と前記板ばねにそれぞれ前記スクリューシャフトの軸線方向へ延びその両端部が前記キャリッジに固定される基部を設け、前記弾性腕と前記押圧片とを互いに重ねた状態でこれら各基部の一端側から他端側に向かって該基部と平行に延ばすと共に、前記押圧片の自由端部と前記歯部の裏面側とを凹凸係合したことを特徴とする光ピックアップの移送機構。
【発明の詳細な説明】
【０００１】
【発明の属する技術分野】
本発明は、キャリッジに搭載された光ピックアップをディスクの径方向へ移送するための移送機構に関する。
【０００２】
【従来の技術】
光ピックアップを用いてＣＤ（コンパクトディスク）やＭＤ（ミニディスク）等のディスクに対して情報を記録および／または再生する場合、該光ピックアップをディスクの径方向へ移送する必要があり、従来より、かかる光ピックアップの移送機構として図４に示すものが知られている。
【０００３】
図４において、符号１は光ピックアップ２を搭載したキャリッジであり、このキャリッジ１はガイドシャフト３とスクリューシャフト４との間に配置されている。これらガイドシャフト３とスクリューシャフト４は互いに平行に対向設置されており、スクリューシャフト４は図示省略したスレッドモータによって正逆両方向へ回転駆動されるようになっている。キャリッジ１の両側面には受部１ａ，１ｂが突設されており、一方の受部１ａはガイドシャフト３の周面に当接し、他方の受部１ｂはスクリューシャフト４に挿通されている。また、キャリッジ１には板ばね５がねじ止めされており、この板ばね５はスクリューシャフト４の軸線に対して直交する方向へ延びている。板ばね５の先端には合成樹脂製のハーフナット６が取り付けられており、このハーフナット６に刻設された歯部は板ばね５の弾性によってスクリューシャフト４のねじ部に圧接されている。
【０００４】
このように概略構成された光ピックアップの移送機構において、スクリューシャフト４が正逆いずれかの方向へ回転すると、この回転力がハーフナット６の歯部で直線運動に変換されてキャリッジ１に伝達されるため、キャリッジ１がガイドシャフト３とスクリューシャフト４の軸線方向に沿って移動する。これにより、キャリッジ１に搭載された光ピックアップ２がディスクの径方向（内周または外周）へ移送され、ディスクに対する情報の記録および／または再生動作が行われる。
【０００５】
【発明が解決しようとする課題】
ところで、この種の移送機構を具備する車載用ＣＤプレーヤやＭＤプレーヤでは、一般的に、車両に組み付ける前のイニシャル状態で光ピックアップをディスクの内周側に位置させておき、使用時に光ピックアップを内周側から外周側へ移送させるという方式が採用されている。このため、車両に組み付ける前の搬送時等において、製品を落下したりしてキャリッジに大きな衝撃が加わった時、特に、スクリューシャフトの軸線方向に沿って内側から外側への大きな衝撃力が加わった時に、ハーフナットの歯部が板ばねの弾性に抗してスクリューシャフトのねじ部から外れて、光ピックアップを搭載したキャリッジが内周側から外周側へ向かってシャーシ等に衝突し、その衝撃力でキャリッジや光ピックアップが損傷するという問題があった。
【０００６】
また、車両に組み付けた後の使用時において、光ピックアップはディスクの最内周と最外周に記録された信号の範囲内を移動するが、規定のフォーマットから外れたディスクを使用した場合や何らかのソフト上の要因で、光ピックアップがこれらの信号を読み取れないことがある。この場合、ディスクの内周側については、リミットスイッチを用いて最内周位置を検出するようになっているため、光ピックアップが最内周位置を越える心配はないが、スペース上の制約から最外周位置にリミットスイッチを配置することが困難であるため、光ピックアップが最外周の信号を読み取れずに暴走することがある。そして、このように光ピックアップが外周方向へ暴走してシャーシ等に突き当たると、板ばねからの強い付勢力を受けているハーフナットの歯部がスクリューシャフトのねじ部に噛み付いてしまい、スクリューシャフトの逆回転によってキャリッジを内周方向へ復帰させることができなくなるという問題があった。
【０００７】
【課題を解決するための手段】
本発明は、片持ち梁状の弾性腕をディスクの内周側を固定端としてスクリューシャフトの軸線方向に沿って延出し、この弾性腕の自由端側に歯部を設けることとする。このように構成すると、光ピックアップに内側から外側への外力が作用した場合、歯部にスクリューシャフトのねじ部に食い付く方向の力が加わるため、搬送時等の落下衝撃に対して光ピックアップを内周側に安定的に保持することができ、キャリッジや光ピックアップの損傷を確実に防止することができる。その反対に光ピックアップに外側から内側への外力が作用した場合、歯部にスクリューシャフトのねじ部を乗り上げる方向の力が加わるため、使用中に光ピックアップがディスクの最外周を越えて暴走した時、歯部がスクリューシャフトのねじ部に噛み付くことを防止でき、キャリッジを内周方向へ確実に復帰させることができる。
【０００８】
【発明の実施の形態】
本発明による光ピックアップの移送機構では、光ピックアップを搭載したキャリッジと、モータを駆動源として正逆両方向へ回転するスクリューシャフトと、前記キャリッジに片持ち梁状に支持され、その自由端側に前記スクリューシャフトに噛合する方向へ弾性付勢された歯部を有する動力変換部材とを備え、前記スクリューシャフトの回転に伴って前記光ピックアップがディスクの径方向へ移動する光ピックアップの移送機構において、前記動力変換部材が前記歯部を有する合成樹脂製の歯付き板と該歯部を前記スクリューシャフトに圧接する方向へ弾性付勢する板ばねとで構成され、前記歯付き板には前記ディスクの内周側を固定端として前記スクリューシャフトの軸線方向へ延びる弾性腕を設けると共に、この弾性腕の自由端側に前記歯部を設け、前記板ばねには前記歯付き板の弾性腕に沿って延びる押圧片を形成し、かつ、前記歯付き板と前記板ばねにそれぞれ前記スクリューシャフトの軸線方向へ延びその両端部が前記キャリッジに固定される基部を設け、前記弾性腕と前記押圧片とを互いに重ねた状態でこれら各基部の一端側から他端側に向かって該基部と平行に延ばすと共に、前記押圧片の自由端部と前記歯部の裏面側とを凹凸係合する構成とした。
【０００９】
このように構成すると、光ピックアップに作用する外力の向きに応じて、歯部に弾性腕の固定端を中心とする逆向きのモーメントが発生するため、搬送時等の落下衝撃に対して光ピックアップを内周側に安定的に保持することができるのみならず、使用中に光ピックアップがディスクの最外周を越えて暴走した時にも、キャリッジを内周方向へ確実に復帰させることができる。
【００１０】
上記の構成において、キャリッジに片持ち梁状に固定した板ばねに弾性腕と歯部を形成して動力変換部材としても良いが、弾性腕と歯部を合成樹脂材からなる歯付き板に一体成形すると共に、該歯付き板の歯部を弾性付勢する板ばねをキャリッジに固定し、これら歯付き板と板ばねの２部材で動力変換部材を構成することが好ましい。この場合において、板ばねに歯付き板の弾性腕に沿って延びる押圧片を形成すると、スペースを犠牲にすることなく板ばねのばねスパンが長くなるため、歯部のスクリューシャフトに対する圧接力のばらつきを抑制することができる。
【００１１】
【実施例】
実施例について図面を参照して説明すると、図１は実施例に係る光ピックアップの移送機構を裏面側から見た構成図、図２は歯部とスクリューシャフトの噛合状態を示す説明図、図３は歯付き板と板ばねの分解斜視図である。
【００１２】
これらの図において、符号１０は光ピックアップ１１を搭載したキャリッジであり、このキャリッジ１０はガイドシャフト１２とスクリューシャフト１３の軸線方向に沿ってシャーシ１４の開口１４ａ内を矢印Ａ，Ｂ方向へ移動する。ガイドシャフト１２とスクリューシャフト１３はシャーシ１４に互いに平行に対向設置されており、スクリューシャフト１４の一端は歯車列１５を介してスレッドモータ１６の回転軸に連結されている。また、シャーシ１４にはスピンドルモータ１７とリミットスイッチ１８が取り付けられており、これらスピンドルモータ１７とリミットスイッチ１８は開口１４ａの一端側に位置している。スピンドルモータ１７の回転軸にはターンテーブル１９が取り付けられており、ＣＤやＭＤ等の図示せぬディスクはこのターンテーブル１９にセンタリングされて回転駆動される。すなわち、図１において矢印Ａがディスクの内周方向を示し、矢印Ｂがディスクの外周方向を示している。リミットスイッチ１８はキャリッジ１０によって動作され、このリミットスイッチ１８から出力される動作信号によって光ピックアップ１１の内周位置が検出される。
【００１３】
キャリッジ１０の両側面には受部１０ａ，１０ｂが突設されており、一方の受部１０ａはガイドシャフト１２の周面に当接し、他方の受部１０ｂはスクリューシャフト１３に挿通されている。また、キャリッジ１０の裏面には歯付き板２０と板ばね２１が一対のねじ２２を用いて固定されており、これら歯付き板２０と板ばね２１によってスクリューシャフト１３の回転を直線運動に変換する動力変換部材が構成されている。
【００１４】
図３に示すように、歯付き板２０は合成樹脂材で一体成形されており、キャリッジ１０に固定される基部２０ａと、基部２０ａの一端側から他端側に向かって平行に延びる弾性腕２０ｂと、弾性腕２０ｂの先端部に突設された歯部２０ｃとを有している。基部２０ａには大径のねじ孔２０ｄと小径の位置決め孔２０ｅがそれぞれ一対ずつ穿設されており、弾性腕２０ｂにはスリット２０ｆとピン２０ｇが形成されている。また、板ばね２１はステンレス等のばね性に富む金属薄板をフォーミングしたもので、キャリッジ１０に固定される基部２１ａと、基部２１ａの一端側から他端側に向かって平行に延びる押圧片２１ｂとが形成され、歯付き板２０とほぼ同一の平面形状を有している。基部２１ａには大径のねじ孔２１ｃと小径の位置決め孔２１ｄがそれぞれ一対ずつ穿設されており、押圧片２１ｂの先端の段付き部分には歯付き板２０のピン２０ｇに挿入される孔２１ｅが穿設されている。
【００１５】
これら歯付き板２０と板ばね２１は、一対のねじ２２を各ねじ孔２０ｄ，２１ｃに挿入して締め付けることにより、キャリッジ１０の裏面に重ねられた状態で固定され、位置決め孔２０ｅ，２１ｄによってキャリッジ１０に精度良く位置決めされる。図１と図２に示すように、かかる取付け状態において、歯付き板２０の弾性腕２０ｂは基部２０ａを固定端としてディスクの内周側からスクリューシャフト１３の軸線方向へ延び、該弾性腕２０ｂの先端（自由端）に形成された歯部２０ｃはディスクの外周側に位置する。また、板ばね２１の押圧片２１ｂも基部２１ａを固定端としてディスクの内周側からスクリューシャフト１３の軸線方向へ延び、該押圧片２１ｂの弾発力によって歯部２０ｃはスクリューシャフト１３のねじ部に圧接されている。
【００１６】
このように概略構成された光ピックアップの移送機構において、スレッドモータ１６を駆動源としてスクリューシャフト１３が正逆いずれかの方向へ回転すると、その回転力が歯付き板２０の歯部２０ｃで直線運動に変換されてキャリッジ１０に伝達されるため、キャリッジ１０がガイドシャフト１２とスクリューシャフト１３の軸線方向に沿って移動する。これにより、キャリッジ１０に搭載された光ピックアップ１１がディスクの径方向（図１の矢印Ａ−Ｂ方向）へ移送され、ディスクに対する情報の記録および／または再生動作が行われる。
【００１７】
上記実施例にあっては、光ピックアップ１１を搭載したキャリッジ１０に図１の矢印Ｂ方向の外力が作用した場合、弾性腕２０ｂの自由端には固定端を中心として図２のＭｂで示すようなモーメントが発生し、歯部２０ｃにスクリューシャフト１３のねじ部に食い付く方向の力が加わる。したがって、製品を車両に組み付ける前の搬送時等に落下衝撃力が作用した時でも、外周方向への衝撃力に対して歯部２０ｃがスクリューシャフト１３のねじ部を乗り上げ難くなるため、キャリッジ１０や光ピックアップ１１が内周側から外周側へ勢い良く移動して損傷することはなく、光ピックアップ１１を内周側に安定的に保持することができる。その反対にキャリッジ１０に図１の矢印Ａ方向の外力が作用した場合、弾性腕２０ｂの自由端には固定端を中心として図２のＭａで示すようなモーメントが発生し、歯部２０ｃにスクリューシャフト１３のねじ部を乗り上げる方向の力が加わる。したがって、使用中に何らかの要因で光ピックアップ１１がディスクの最外周を越えて暴走した時、すなわち、シャーシ１４等のストッパ部からの反力によりキャリッジ１０に内周方向への外力が作用した時でも、歯部２０ｃがスクリューシャフト１３のねじ部に簡単に食い付くことはなく、スレッドモータ１６の逆トルクでキャリッジ１０を内周方向へ確実に復帰させることができる。さらに、板ばね２１に形成した押圧片２１ｂの弾発力によって歯部２０ｃをスクリューシャフト１３に圧接し、この押圧片２１ｂをスクリューシャフト１３の軸線方向に沿って弾性腕２０ｂと平行に延出させているため、スペースを犠牲にすることなく板ばね２１のばねスパンが長くなり、歯部２０ｃのスクリューシャフト１３に対する圧接力のばらつきを抑制することができる。
【００１８】
【発明の効果】
本発明は、以上説明したような形態で実施され、以下に記載されるような効果を奏する。
【００１９】
片持ち梁状の弾性腕をディスクの内周側を固定端としてスクリューシャフトの軸線方向に沿って延出し、この弾性腕の自由端側にスクリューシャフトに噛合する歯部を設けると、光ピックアップに作用する外力の向きに応じて、歯部に弾性腕の固定端を中心とする逆向きのモーメントが発生するため、搬送時等の落下衝撃に対して光ピックアップを内周側に安定的に保持することができるのみならず、使用中に光ピックアップがディスクの最外周を越えて暴走した時にも、キャリッジを内周方向へ確実に復帰させることができる。
【図面の簡単な説明】
【図１】実施例に係る光ピックアップの移送機構を裏面側から見た構成図である。
【図２】歯部とスクリューシャフトの噛合状態を示す説明図である。
【図３】歯付き板と板ばねの分解斜視図である。
【図４】従来例に係る光ピックアップの移送機構を示す構成図である。
【符号の説明】
１０  キャリッジ
１１  光ピックアップ
１３  スクリューシャフト
１４  シャーシ
１６  スレッドモータ
１７  スピンドルモータ
１８  リミットスイッチ
２０  歯付き板
２０ａ  基部
２０ｂ  弾性腕
２０ｃ  歯部
２１  板ばね
２１ａ  基部
２１ｂ  押圧片
【図１】
0003650293.tif 000002
【図２】
0003650293.tif 000003
【図３】
0003650293.tif 000004
【図４】
0003650293.tif 000005